(57)【特許請求の範囲】
【請求項１】
電動モータにより駆動され、スイッチをオフした後に電動モータを逆転させ、押出し機構を後退させることによって「後だれ」現象を防止する電動式のシーリングガンであって、スイッチのオン時間に応じて電動モータの逆転時間を変化させるようにしたことを特徴とするシーリングガン。
【請求項２】
スイッチのオン時間が所定の時間より短いときは逆転しないようにした請求項１記載のシーリングガン。
【請求項３】
電動モータの逆転時間の最大値を任意に変更可能とした請求項１記載のシーリングガン。
【請求項４】
オン時間に対するオフ時間の比率を任意に変更可能とした請求項１記載のシーリングガン。
【請求項５】
コンデンサの充電電気量または充放電の時定数により、逆転時間を変更するようにした請求項１記載のシーリングガン。
【請求項６】
エミッタが正電源に接続され、ベースと接地間に抵抗とコンデンサの直列回路が接続されているＰＮＰ形トランジスタと、スイッチのオンと同時にコンデンサを放電するＮＰＮ形トランジスタとで構成されており、スイッチをオフした後、前記コンデンサが充電されるまでの間ＰＮＰ形トランジスタがオンすることにより、スイッチのオフ後も一定時間、電動モータの逆転回路に電源を供給する遅延回路を設けた請求項１記載のシーリングガン。
【請求項７】
電動モータの逆転を連続して行なうことができる手動スイッチを設け、電動モータの駆動により押出し機構が希望の位置まで戻るようにした請求項１記載のシーリングガン。
【請求項８】
電動モータの正転を開始するリレーのスイッチとコイルによって電動モータの逆転回路を構成した請求項１記載のシーリングガン。
【請求項９】
押出し機構が使用前の位置まで戻ると自動的に停止するようにした請求項１記載のシーリングガン。
【請求項１０】
スイッチのオン時間の所定の時間を可変できるようにした請求項２記載のシーリングガン。
【請求項１１】
コンデンサに蓄積された電荷によりリレーを動作させることにより、スイッチのオフ後も電動モータを逆転動作可能とした請求項５記載のシーリングガン。
【請求項１２】
シーリング材が無くなり使用できなくなる位置まで押出し機構がくると、電動モータは連続して自動的に逆転するようにした請求項６記載のシーリングガン。
【発明の詳細な説明】
【０００１】
【産業上の利用分野】
シーリング材は、建物の壁面にヒビ割れや隙間が生じたり、塗装時の目地処理をする際の充填材または補修材として使用されるものであるが、このシーリング材を注出ノズルを備えたチューブ内に充填し、チューブの底板を押圧して注出ノズルからコーキング材を注出させる押出し機構と、スイッチ動作により減速機構を介して前記押出し機構を動作させる電動モータとから、シーリングガン（シーリング材注出装置）が構成されている。
【０００２】
本発明は、上記のようなシーリングガンに関するものであって、スイッチをオフした後に電動モータを逆転させ、押出し機構を後退させることによって、シーリング材の「後だれ」現象を防止する技術に係るものである。
【０００３】
【従来の技術】
この種におけるシーリング材の「後だれ」現象を防止する機構として、例えば特開昭５８−１３７４６５号公報記載のものが従来公知であるが、これはスイッチのオン操作からオフ操作に移行する際に所定時間の間、電動モータを逆回転させるものである。
【０００４】
【発明が解決しようとする課題】
ところが、この従来例では電動モータを逆回転させる時間が一定であり、例えば狭い隙間などに少量のシーリング材を数回に分けて注出する場合には、スイッチがオン操作されている時間はごく短い時間であり、この短い時間を数回繰り返すものであって、シーリング材の入ったチューブの内圧は殆ど上昇することがなく、「後だれ」現象が発生しないにもかかわらず一定時間の間、電動モータを逆転させてしまうことになる。そのため次のスイッチのオン操作時には、直ぐにシーリング材を注出することができないとか、スイッチのオン・オフ操作を円滑に行なうことができないなど、シーリング材の注入操作の作業性が悪いという問題がある。
【０００５】
本発明はこのような問題点に鑑み、スイッチをオフした後に電動モータを逆転させ、押出し機構を後退させるものであるが、スイッチのオン時間に応じて電動モータの逆転時間を変化させることにより、シーリング材の「後だれ」現象を確実に防止することを目的としている。
【０００６】
【課題を解決するための手段】
前記目的を達成するため本発明に係るシーリングガンの請求項１の発明は、電動モータＭにより駆動され、スイッチＳ１  をオフした後に電動モータＭを逆転させ、押出し機構Ｄを後退させることによって「後だれ」現象を防止する電動式のシーリングガンＧであって、スイッチＳ１  のオン時間に応じて電動モータＭの逆転時間を変化させるようにするものである。
【０００７】
請求項２の発明は、請求項１の発明において、スイッチＳ１  のオン時間が所定の時間より短いときは逆転しないようにするものである。
請求項３の発明は、請求項１の発明において、電動モータＭの逆転時間の最大値を任意に変更可能とするものである。
請求項４の発明は、請求項１の発明において、オン時間に対するオフ時間の比率を任意に変更可能とするものである。
【０００８】
請求項５の発明は、請求項１の発明において、コンデンサＣ１  の充電電気量または充放電の時定数により、逆転時間を変更するようにするものである。
請求項６の発明は、請求項１の発明において、エミッタが正電源に接続され、ベースと接地間に抵抗Ｒ４  とコンデンサＣ２  の直列回路が接続されているＰＮＰ形トランジスタＱＰ１と、スイッチＳ１  のオンと同時にコンデンサＣ２  を放電するＮＰＮ形トランジスタＱ３  とで構成されており、スイッチＳ１  をオフした後、前記コンデンサＣ２  が充電されるまでの間ＰＮＰ形トランジスタＱＰ１がオンすることにより、スイッチＳ１  のオフ後も一定時間、電動モータＭの逆転回路に電池Ｅからの電源を供給する遅延回路を設けるものである。
【０００９】
請求項７の発明は、請求項１の発明において、電動モータＭの逆転を連続して行なうことができる手動スイッチＳＷ１  を設け、電動モータＭの駆動により押出し機構Ｄが希望の位置まで戻るようにするものである。
請求項８の発明は、請求項１の発明において、電動モータＭの正転を開始するリレーＲＹのスイッチＳ２  とコイルｃによって電動モータＭの逆転回路を構成するものである。
【００１０】
請求項９の発明は、請求項１の発明において、押出し機構Ｄが使用前の位置まで戻ると自動的に停止するようにするものである。
請求項１０の発明は、請求項２の発明において、スイッチＳ１  のオン時間の所定の時間を可変できるようにするものである。
請求項１１の発明は、請求項５の発明において、コンデンサＣ２  に蓄積された電荷によりリレーＲＹを動作させることにより、スイッチＳ１  のオフ後も電動モータＭを逆転動作可能とするものである。
【００１１】
請求項１２の発明は、請求項６の発明において、シーリング材が無くなり使用できなくなる位置まで押出し機構Ｄがくると、電動モータＭは連続して自動的に逆転するようにするものである。
【００１２】
【作用】
本発明に係るシーリングガンの作用について述べる。コーキング材を注出ノズルＡを備えたチューブＢ内に充填し、スイッチ動作により電動モータＭを駆動して減速機構Ｄを介して押出し機構Ｃの動作により、チューブＢの底部を押圧して注出ノズルＡからコーキング材を注出させる。スイッチＳ１  をオフした後に電動モータＭを逆転させ、押出し機構Ｄを後退させるのであるが、スイッチＳ１  のオン時間に応じて電動モータＭの逆転時間を変化させることにより、シーリング材の「後だれ」現象を防止する。
【００１３】
【実施例】
以下図面を参照しながら本発明の実施例を具体的に説明する。
図１は本発明に係るシーリングガン（シーリング材注出装置）を一部を切欠したものの一例を示した正面図であり、図２は本発明に係るシーリングガン（シーリング材注出装置）を一部を切欠したものの他の一例を示した正面図である。シーリングガンＧは、シーリング材を、注出ノズルＡを備えたチューブＢ内に充填し、チューブＢの底部を押圧して注出ノズルＡからコーキング材を注出させる押出し機構Ｃと、スイッチ動作により減速機構Ｄを介して前記押出し機構Ｃを動作させる電動モータＭとから構成されている。
【００１４】
図３は本発明に係るシーリングガンの動作機構の電気回路図である。この図について動作状態を説明する。スイッチＳ１  をオンすると、電動モータＭに電池Ｅが接続されることになり、その電動モータＭは正回転を行なうのであるが、このとき同時に電源回路Ｈが動作してその電源回路Ｈの出力により、抵抗Ｒ５  ，ダイオードＤ１  を介してコンデンサＣ１  に電流が流れ始める。このときＮＰＮ形トランジスタＱ１  は、ツェナダイオードＺＤ１  ，抵抗Ｒ６  を介して流れるベース電流によりオンしており、ＮＰＮ形トランジスタＱ２  はオフしているのでコンデンサＣ１  は充電される。
【００１５】
コンデンサＣ１  が充分に充電された後スイッチＳ１  をオフすると、ＮＰＮ形トランジスタＱ１  もオフすることになり、ＰＮＰ形トランジスタＱＰ１を介してＮＰＮ形トランジスタＱ２  にベース電流が流れることになり、ＮＰＮ形トランジスタＱ２  はオンしてリレーＲＹのコイルｃに電流が流れてそのリレーＲＹはオン動作する。これにより電動モータＭは前述とは逆方向に回転することになり、コンデンサＣ１  は放電し、リレーＲＹがオフ動作する電圧Ｖ２  に低下するまでの間、電動モータＭは逆方向に回転することになり、その動作特性図を図４に示す。
【００１６】
次にスイッチＳ１  のオン時間が短く、コンデンサＣ１  の両端電圧がリレーＲＹのオン電圧Ｖ１  に達しなかった場合は、リレーＲＹはオンすることなく、電動モータＭは逆転動作しないのである。このようにコンデンサＣ１  の両端電圧がリレーＲＹのオン電圧Ｖ１  に達しない時間内での短い時間のスイッチＳ１  のオン動作後は、電動モータＭは逆転動作しないようになるもので、このような動作特性図を図５に示している。
【００１７】
以上述べた動作の動作特性図を図６に示しているが、この図６においてスイッチＳ１  のオン時間がＴ１  以下であれば、電動モータＭの逆転時間は零であり、またスイッチＳ１  のオン時間がＴ３  以上であれば、電動モータＭの逆転時間は最高値Ｔ４  となる。そしてオン時間Ｔ１  とオン時間Ｔ３  との間では、その時間の長さに応じて逆転時間が変化する。
【００１８】
図７は本発明に係るシーリングガンを示す電気回路の他の一例図である。図７に示す電気回路図では、抵抗Ｒ５  が可変できるようになっており、抵抗Ｒ５  を可変とすることによりコンデンサＣ１  の充電時間を可変とすることができ、図６の動作特性図に示すスイッチＳ１  のオン時間Ｔ１  が可変できるようになる。これはシーリング材の材料の粘性の差により可変できるようになる。また図７に示す電気回路図において抵抗Ｒ１０を可変できるようにすれば、抵抗Ｒ１０を可変とすることによりコンデンサＣ１  の放電時間を可変とすることができ、図６の動作特性図に示すスイッチＳのオン時間Ｔ４  が可変できるようになる。これによりシーリング材の材料によって電動モータＭの逆転による「もどし量」を調整できる。
【００１９】
次にコンデンサＣ１  の代わりに、容量の異なるコンデンサＣ２  を接続できるようになっており、前述の抵抗Ｒ５  ，抵抗Ｒ１０の値との組み合わせにより、オン時間Ｔ１  以降オン時間Ｔ３  までの逆転時間の変化率を可変とすることができる。これにより、スイッチＳ１  のオン時間に対する逆転時間の変化率を、シーリング材の材料に合わせて最適の値を取ることができる。
【００２０】
次に図３を参照しながら本発明の遅延回路について説明する。エミッタが正極電源に接続されているＰＮＰ形トランジスタＱＰ１と、そのＰＮＰ形トランジスタＱＰ１のベースに接続されて遅延時間を決定する抵抗Ｒ４  ，コンデンサＣ２  ，コンデンサＣ２  の放電回路となる抵抗Ｒ３  ，ＮＰＮ形トランジスタＱ３  ，抵抗Ｒ２  ，ツェナダイオードＺＤ１  とにより構成されている。この遅延回路の動作について説明する。スイッチＳ１  をオンすると、電池Ｅが電動モータＭに接続されて回路に電源が供給されることになる。このとき電源回路Ｈの出力電圧は、ツェナダイオードＺＤ１  のツェナ電圧より高いために抵抗Ｒ２  を通じてＮＰＮ形トランジスタＱ３  のベースにベース電流を供給する。そのためにＮＰＮ形トランジスタＱ３  がオンし、抵抗Ｒ３  を通じてコンデンサＣ２  が放電され、そしてタイマーがリセットされることになる。
【００２１】
スイッチＳ１  をオフすると電源回路Ｈから電圧が供給されなくなり、ＮＰＮ形トランジスタＱ３  はオフしてコンデンサＣ２  の放電回路はなくなる。そしてＰＮＰ形トランジスタＱＰ１のベースと抵抗Ｒ４  を通じてコンデンサＣ２  に充電が行なわれることになり、そのためにＰＮＰ形トランジスタＱＰ１がオンして電動モータＭの逆転ブロック回路ブロックを駆動する。この駆動時間、換言すれば遅延時間は、抵抗Ｒ４  とコンデンサＣ２  の時定数により決定されることになり、コンデンサＣ２  が充電されるとベース電流が停止し、ＰＮＰ形トランジスタＱＰ１はオフして電動モータＭの逆転回路ブロックは動作を停止する。またこれにより電池Ｅからの放電も停止する。
【００２２】
次に図８を参照しながら本発明の連続逆転回路について説明する。スイッチＳＷ１  とリレーＲＹのコイルｃに接続されている抵抗Ｒ８  及びＮＰＮ形トランジスタＱ２  に接続されている抵抗Ｒ９  により、連続逆転回路が構成されている。そして使用者がシーリング材を取り出すために押出し機構Ｄを希望の位置まで戻すときに、スイッチＳＷ１  をオンすると、抵抗Ｒ９  を通じてベース電流がＮＰＮ形トランジスタＱ２  に供給されることになり、そのＮＰＮ形トランジスタＱ２  がオンする。そして抵抗Ｒ８  を通じてリレーＲＹのコイルｃに電源が供給されることになり、リレーＲＹのスイッチＳ２  がオンし電動モータＭが逆転して押出し機構Ｄは後戻りする。スイッチＳＷ１  はプッシュスイッチ機構を有しているために、使用者が手を離すとオフすることになり、電動モータＭの逆転動作は停止する。
【００２３】
図９は本発明に係るシーリングガンの動作機構の電気回路のさらに他の一例図であって，この図９について説明する。この回路図ではスイッチＳＷ２  ，ＳＷ３  を、押出し機構Ｄがシーリング材がほぼ無くなる位置までオンするリミットスイッチとし、このオン信号を受けて出力を高出力（Ｈレベル）とするラッチ回路Ｋが設けられている。このラッチ回路Ｋの出力により電動モータＭは逆転動作を行なう。
【００２４】
以上のような回路動作により押出し機構Ｄがシーリング材がほぼ無くなる位置までくると、押出し機構Ｄは自動的に元に戻ることになり、シーリング材の入ったチューブＡの交換を容易に行なうことができるのである。また押出し機構ＤがチューブＡをセットできる使用前の位置までくるとオンするリミットスイッチＳＷ３  を設け、このリミットスイッチＳＷ３  がオンするとラッチ回路Ｋの出力がオフするように構成しておくと、他のリミットスイッチＳＷ２  のオンにより押出し機構Ｄが戻ることになり、そして押出し機構Ｄが最後まで戻ってくると自動的に停止するのである。
【００２５】
【発明の効果】
本発明に係るシーリングガンは以下に述べるような効果を奏する。すなわち、請求項１の発明は、電動モータにより駆動され、スイッチをオフした後に電動モータを逆転させ、押出し機構を後退させることによって「後だれ」現象を防止する電動式のシーリングガンであって、スイッチのオン時間に応じて電動モータの逆転時間を変化させるようにしたから、「後だれ」現象防止の機能によりシーリング材の注入作業が容易となる。
【００２６】
請求項２の発明は、請求項１の発明において、スイッチのオン時間が所定の時間より短いときは逆転しないようにしたから、前記した請求項１の発明の利点に加えて、狭い隙間に少量つづ数回に分けてシーリング材の注入する場合、連続した注入作業が、なお一層容易となる。
請求項３の発明は、請求項１の発明において、電動モータの逆転時間の最大値を任意に変更可能としたから、前記した請求項１の発明の利点に加えて、シーリング材の材料に応じた適切な値に設定することができる。
【００２７】
請求項４の発明は、請求項１の発明において、オン時間に対するオフ時間の比率を任意に変更可能としたから、前記した請求項１の発明の利点に加えて、シーリング材の材料に合わせて最適の値を取ることができ、シーリング材の注入作業がきわめて容易となる。
請求項５の発明は、請求項１の発明において、コンデンサの充電電気量または充放電の時定数により、逆転時間を変更するようにしたから、前記した請求項１の発明の利点に加えて、きわめて簡単な回路構成とすることができる。
【００２８】
請求項６の発明は、請求項１の発明において、エミッタが正電源に接続され、ベースと接地間に抵抗とコンデンサの直列回路が接続されているＰＮＰ形トランジスタと、スイッチのオンと同時にコンデンサを放電するＮＰＮ形トランジスタとで構成されており、スイッチをオフした後、前記コンデンサが充電されるまでの間ＰＮＰ形トランジスタがオンすることにより、スイッチのオフ後も一定時間、電動モータの逆転回路に電源を供給する遅延回路を設けたから、前記した請求項１の発明の利点に加えて、遅延回路は簡単な回路構成を採用できるとともに、遅延時間以降は回路の消費電流は無くなり、そのために電池の不必要な放電を防止することができる。
【００２９】
請求項７の発明は、請求項１の発明において、電動モータの逆転を連続して行なうことができる手動スイッチを設け、電動モータの駆動により押出し機構が希望の位置まで戻るようにしたから、前記した請求項１の発明の利点に加えて、電動モータＭの逆転は、手動または自動で連続して行なうことができることになり、シーリング材が充填されているチューブの交換作業を容易かつ迅速に行なうことができる。
【００３０】
請求項８の発明は、請求項１の発明において、電動モータの正転を開始するスイッチとリレーによって電動モータの逆転回路を構成したから、前記した請求項１の発明の利点に加えて、逆転回路を簡単な回路構成とすることができる。
請求項９の発明は、請求項１の発明において、押出し機構が使用前の位置まで戻ると自動的に停止するようにしたから、前記した請求項１の発明の利点に加えて、「後だれ」現象防止をより確実に行なうことができる。
【００３１】
請求項１０の発明は、請求項２の発明において、スイッチのオン時間の所定の時間を可変できるようにしたから、前記した請求項２の発明の利点に加えて、シーリング材の注入作業時間を調節することができる。
請求項１１の発明は、請求項５の発明において、コンデンサに蓄積された電荷によりリレーを動作させることにより、スイッチのオフ後も電動モータを逆転動作可能としたから、前記した請求項５の発明の利点に加えて、さらに簡単な回路構成とすることができる。
【００３２】
請求項１２の発明は、請求項６の発明において、シーリング材が無くなり使用できなくなる位置まで押出し機構がくると、電動モータは連続して自動的に逆転するようにしたから、前記した請求項６の発明の利点に加えて、「後だれ」現象防止をなお一層確実に行なうことができる。
【図面の簡単な説明】
【図１】本発明に係るシーリングガンを一部を切欠したものの一例を示した正面図である。
【図２】同上の他の例を示した正面図である。
【図３】同上の動作機構の電気回路の一例図である。
【図４】同上の動作特性図である。
【図５】同上の動作特性図である。
【図６】同上の動作特性図である。
【図７】同上の動作機構の電気回路の他の一例図である。
【図８】同上の連続逆転回路図である。
【図９】同上の動作機構の電気回路のさらに他の一例図である。
【符号の説明】
Ａ  注出ノズル
Ｂ  チューブ
Ｃ  押出し機構
Ｄ  減速機構
Ｍ  電動モータ
Ｇ  シーリングガン
Ｓ１  トリガスイッチ
【図１】
0003598565.tif 000002
【図２】
0003598565.tif 000003
【図３】
0003598565.tif 000004
【図４】
0003598565.tif 000005
【図５】
0003598565.tif 000006
【図６】
0003598565.tif 000007
【図７】
0003598565.tif 000008
【図８】
0003598565.tif 000009
【図９】
0003598565.tif 000010